(57)【要約】【課題】本発明は、魚の生簀内に設置し、魚の盗難時に姿勢が変わったこと又は外部からの振動が付加されたことを検出し、盗難発生を早期に知らせることができることを目的とする。【解決手段】本発明による盗難監視用模擬魚は、中空ケース(1)内に設けた警報装置(4)上に加速度計(5)を設け、この中空ケース(1)が姿勢変化した時の加速度変化を加速度計(5)で検出し、警報装置(4)で発する警報信号(15)をアンテナ(7)から発信する構成である。【選択図】図１
2010225063.tif 000002
【特許請求の範囲】
【請求項１】
全体が魚形状をなす中空ケース(1)と、前記中空ケース(1)の内底部(3)に設けられた警報装置(4)と、前記警報装置(4)上に設けられた加速度計(5)と、よりなり、
前記中空ケース(1)は水面(22)で浮いて用いられ、前記中空ケース(1)の姿勢が変化した場合、又は、前記中空ケース(1)に外部から振動が付加された場合、前記加速度計(5)からの加速度検出信号の変化により、前記警報装置(4)が作動する構成としたことを特徴とする盗難監視用模擬魚。
【請求項２】
前記中空ケース(1)は、生簀(21)内の養殖魚の魚体に似せて形成されていることを特徴とする請求項１記載の盗難監視用模擬魚。
【請求項３】
前記中空ケース(1)の上部に形成された背びれ(6)が、前記警報装置(4)のアンテナ(7)を形成していることを特徴とする請求項１又は２記載の盗難監視用模擬魚。
【請求項４】
前記警報装置(4)の上部には、スイッチ部(12)を有する弧状受け部(11)と、前記弧状受け部(11)上に設けられた重り(13)と、からなるスイッチ(10)が設けられ、前記重り(13)の移動により前記スイッチ部(12)がオン又はオフした時、前記警報装置(4)が作動する構成としたことを特徴とする請求項１ないし３の何れかに記載の盗難監視用模擬魚。
【発明の詳細な説明】
【技術分野】
【０００１】
本発明は、盗難監視用模擬魚に関し、特に、魚の生簀内に設置し、魚の盗難時に姿勢が変わったこと又は外部からの振動が付加されたことを検出し、盗難発生を早期に知らせることができるようにするための新規な改良に関する。
【背景技術】
【０００２】
従来、この種の生簀の盗難防止方法としては、特に、特許出願していないため、開示していないが、例えば、侵入防止柵又は監視カメラ等が用いられている。
【発明の概要】
【発明が解決しようとする課題】
【０００３】
従来の生簀の盗難防止方法は、以上のように構成されていたため、次のような課題が存在していた。
すなわち、侵入防止柵は、破壊されることがあり、破壊された場合には、盗難を防ぐことは不可能であった。
また、監視カメラの場合には、監視カメラが覆われるか、破壊された場合には対抗策はなく、盗難を防ぐことは不可能であった。
【課題を解決するための手段】
【０００４】
本発明による盗難監視用模擬魚は、全体が魚形状をなす中空ケースと、前記中空ケースの内底部に設けられた警報装置と、前記警報装置上に設けられた加速度計と、よりなり、
前記中空ケースは水面で浮いて用いられ、前記中空ケースの姿勢が変化した場合、又は、前記中空ケースに外部から振動が付加された場合、前記加速度計からの加速度検出信号の変化により、前記警報装置が作動する構成であり、また、前記中空ケースは、生簀内の養殖魚の魚体に似せて形成されている構成であり、また、前記中空ケースの上部に形成された背びれが、前記警報装置のアンテナを形成している構成であり、また、前記警報装置の上部には、スイッチ部を有する弧状受け部と、前記弧状受け部上に設けられた重りと、からなるスイッチが設けられ、前記重りの移動により前記スイッチ部がオン又はオフした時、前記警報装置が作動する構成である。
【発明の効果】
【０００５】
本発明による盗難監視用模擬魚は、以上のように構成されているため、次のような効果を得ることができる。
すなわち、全体が魚形状をなす中空ケースと、前記中空ケースの内底部に設けられた警報装置と、前記警報装置上に設けられた加速度計と、よりなり、前記中空ケースは水面で浮いて用いられ、前記中空ケースの姿勢が変化した場合、又は、前記中空ケースに外部から振動が付加された場合、前記加速度計からの加速度検出信号の変化により、前記警報装置が作動する構成としたことにより、盗難を確実に早期に知ることができ、被害を最小とすることができる。
前記中空ケースは、生簀内の養殖魚の魚体に似せて形成されていることにより、本物とニセ物の区別が付けにくく、盗難防止効果を向上させることができる。
前記中空ケースの上部に形成された背びれが、前記警報装置のアンテナを形成していることにより、中空ケースが横倒し等の姿勢変化した場合に、アンテナからの警報信号の発信が確実となる。
前記警報装置の上部には、スイッチ部を有する弧状受け部と、前記弧状受け部上に設けられた重りと、からなるスイッチが設けられ、前記重りの移動により前記スイッチ部がオン又はオフした時、前記警報装置が作動する構成としたことにより、加速度計とスイッチの両方で中空ケースの姿勢変化を検出することができ、防犯効果を確実化することができる。
【図面の簡単な説明】
【０００６】
【図１】本発明による盗難監視用模擬魚を示す断面構成図である。
【図２】図１の側面図である。
【図３】図１の中空ケースが横倒しになっている状態を示す断面構成図である。
【図４】図１の他の形態を示す断面構成図である。
【発明を実施するための形態】
【０００７】
本発明は、魚の生簀内に設置し、魚の盗難時に姿勢が変わつたこと又は外部からの振動が付加されたことを検知し、盗難発生を早期に知らせることができるようにした盗難監視用模擬魚を提供することを目的とする。
【実施例】
【０００８】
以下、図面と共に本発明による盗難監視用模擬魚の好適な実施の形態について説明する。
図１において、符号１で示されるものは、樹脂等で二体等に形成された中空ケースであり、この中空ケース１の中空部２内の内底部３には、警報装置４が設けられている。
【０００９】
前記警報装置４上には、加速度計５が設けられ、この加速度計５は、周知のＭＥＭＳ工法により形成された静電コンデンサ型の構成又は機械式の構成等で形成されている。
前記中空ケース１の頂部１ａには、背びれ６が形成され、この背びれ６はアンテナ７を兼用して構成されている。
【００１０】
前記警報装置４は、周知のように、電源が供給されると、図示しない増幅装置が作動してアラーム音又は音声合成ＩＣによるドロボー等の音をアンテナ７を経て電波発信できるように構成されている。
【００１１】
前述の図１で示す構成は、加速度計５と警報装置４を組み合わせて形成した場合について述べたが、図４で示されるように、中空ケース１内の警報装置４の上部に、前記加速度計５の他に、スイッチ１０を設けることもできる。
【００１２】
前記スイッチ１０は、弧状受け部１１と、スイッチ部１２と、この弧状受け部１１上に作動自在に設けられた球状の重り１３とから構成されている。
前記スイッチ部１２は、前記重り１３が移動した場合に、オン又はオフとなるように構成され、このスイッチ部１２のオン又はオフにより、前記警報装置４が作動するように構成されている。
従って、図４の形態においては、前記加速度計５又はスイッチ１０の作動により、警報装置４が作動してアンテナ７より警報信号１５を発信することができるように構成されている。
【００１３】
次に、前述の構成による本発明の盗難監視用模擬魚２０を、魚を養殖している沖の生簀２１内の水面２２に浮かべると、図１及び図２の状態となり、この場合の中空ケース１の形状は、この生簀２１内の魚の種類と同一種の外観及び大きさ、例えば、鮪であれば、鮪の形状として形成されている。
【００１４】
前記盗難監視用模擬魚２０は、生簀２１内で通常時は、図１、図２で示されるように、水面２２で泳いでいるような垂直状態で浮いているが、生簀２１内に、例えば、外部から盗人が船で来て、網を入れて魚を盗もうとした場合、この水面２２に浮いている盗難監視用模擬魚２０は図３で示されるように横倒し状態となる。
【００１５】
前述の状態で、加速度計５が加速度を検出するため、この加速度計５からの加速度信号により警報装置４が作動し、出力信号が警報信号１５として漁師側の受信機に送信される。
この漁師側では、直ちに船を出して盗人を捕らえ、盗難の被害を最小限に抑えることができる。
尚、図４の構成の場合には、前記加速度計５の他に、スイッチ１０による検出も行われるため、何れか一方が、万一故障している場合でも、検出が可能であり、検出の信頼性を一層向上させることができる。尚、中空ケース１は、泳ぐように構造を形成すると、水上又は水中で泳いでいる時に、持ち上げると、アラームを発信させるようにすることもできる。
【産業上の利用可能性】
【００１６】
本発明による盗難監視用模擬魚は、生簀だけではなく、プール内への他人の侵入や、沿岸の不法者の侵入検出等に応用可能である。
【符号の説明】
【００１７】
１    中空ケース
２    中空部
３    内底部
４    警報装置
５    加速度計
６    背びれ
７    アンテナ
１０    スイッチ
１１    弧状受け部
１２    スイッチ部
１３    重り
１５    警報信号
２０    盗難監視用模擬魚
２１    生簀
【図１】
2010225063.tif 000003
【図２】
2010225063.tif 000004
【図３】
2010225063.tif 000005
【図４】
2010225063.tif 000006